(57)【要約】【課題】洗剤等重量物を包装する板紙製カートンであって、しかも強度を有する仰開型カートンいわゆるフリップトップスタイルのカートンを提供する。【解決手段】正面板、背面板、左右側面板で胴部を形成する略直方体状のカートンであって、前記正面板の左右上端には破断線を介して矩形の蓋貼着片が形成され、前記左右側面板の上端はそれぞれ前記破断線の一端に連続する傾斜破断線で左右蓋側面板に分設されるとともに、前記背面板の上端は前記傾斜破断線に連続する仰開用横折線で蓋背面板に分設され、また前記背面板には横折線を介して天面板、蓋正面板が順に連設されるとともに、該蓋正面板には鉤状破断線を介してジッパー、正面貼着板が順に連設されており、前記蓋正面板が前記蓋貼着片に貼着され、かつ前記正面貼着板が正面板に貼着されることを特徴とする洗剤用カートン。【選択図】　　　　図３
2004083023.tif 000002
【特許請求の範囲】
【請求項１】
板紙等シート状部材で形成され、縦折線を介して連設された正面板、背面板、左右側面板で胴部を形成する略直方体状のカートンであって、前記正面板の左右上端には破断線を介して矩形の蓋貼着片が形成され、前記左右側面板の上端はそれぞれ前記破断線の一端に連続する傾斜破断線で左右蓋側面板に分設されるとともに、前記背面板の上端は前記傾斜破断線に連続する仰開用横折線で蓋背面板に分設され、また前記背面板には横折線を介して天面板、蓋正面板が順に連設されるとともに、該蓋正面板には鉤状破断線を介してジッパー、正面貼着板が順に連設されており、前記蓋正面板が前記蓋貼着片に貼着され、かつ前記正面貼着板が正面板に貼着されることを特徴とする洗剤用カートン。
【請求項２】
縦折線を介して内枠正面板、内枠背面板、および内枠左右側面板を連設し、ロ字状に形成される内枠を、胴部内壁に内挿したことを特徴とする請求項１記載の洗剤用カートン。
【発明の詳細な説明】
【０００１】
【発明の属する技術分野】
本発明は、粉体あるいは粒体用の紙製容器に関し、さらに詳しくは、家庭用粉末洗剤の紙製容器に関する。
【０００２】
【従来の技術】
従来から家庭用粉末洗剤の容器としては、洗剤を充填したカートンの上端開口部を防湿性のシート状物で被覆接着し、さらにプラスチック成形蓋等でカバーしたのち、プラスチック成形蓋背面には仰開型ヒンジ部となるシール貼り加工と、正面には封緘のためのシール貼り加工を施した紙製カートンが一般的に使用されている。また、前記プラスチック成型蓋に替えて、紙製蓋を用いる構造も使用されている。またプラスチックシートによる成型蓋の記載も存在する。プラスチック成型蓋に替えて紙製蓋を用いる技術については、実開平４―１２１２３４号公報記載の考案で明らかである。
【０００３】
スナック菓子やチョコレート菓子に用いられる軽量物用カートンでは、周知慣用技術として、図４（Ａ）に示すように、板紙等で製作される縦型筒状カートンの背面上部に仰開ヒンジ部用折線と、その両端を結ぶ側面、正面、側面にわたる破断線を設け、破断線を用いて開封し、背面の折線を用いて蓋部を仰開させる、いわゆるフリップトップスタイルのカートンが存在する。また図４（Ｂ）に示すように、前記破断線については、正面部分を二条の並行する鉤状破断線とする、いわゆるジッパースタイルも一般的に用いられているが、ジッパーが引き破られた部分は開放しているので内容物が露出することとなり、再閉鎖には不向きである。図４（Ａ）には、上述したカートンに、内枠を一体或いは別体で設けた形式も示されており、再閉鎖した状態を開封前の状態に近く復元する構造も多く使用されている。これらフリップトップスタイルのカートンは、開封操作が容易で、しかも再閉鎖ができることから、内容物を一定の期間繰り返し使用する或いは所定量を連続して使用する製品のパッケージとして有効な構造である。
【０００４】
しかしながら粉末洗剤等重量物の包装として使用される紙製カートンでは、製品単体での強度と集合体としての強度、輸送・保管の際の積み上げ荷重に対する強度など、苛酷な条件下での強度要求があるため、前記軽量物包装に用いられるような仰開型カートンいわゆるフリップトップスタイルのカートンでは、胴膨れなどによる破断線部分からの破損が生じやすく、また積み上げによる荷重では同じく破断線部分からの座屈発生があり、カートン自体が破損するという欠点があった。
【０００５】
またフリップトップスタイルのカートンで内枠を一体に設けた構造のカートンでは、機械による貼り工程の制約からカートン本体と内枠とは相当の寸法差が必要で、密着した構造とすることが難しく、蓋部分の再閉鎖が安定しないという欠点があり、洗剤等一定の期間を経て使用する製品では、湿度による変質例えば洗剤等粉粒体が凝固するケーキングとよばれる状態等が発生した。
【０００６】
【発明が解決しようとする課題】
そこで、本発明は、上記問題を解決するためになしたものであって、その目的とするところは、洗剤等重量物を包装する板紙製カートンであって、しかも強度を有する仰開型カートンいわゆるフリップトップスタイルのカートンを提供することにある。
【０００７】
【課題を解決するための手段】
上記課題を解決するため、請求項１の発明は、板紙等シート状部材で形成され、縦折線を介して連設された正面板、背面板、左右側面板で胴部を形成する略直方体状のカートンであって、前記正面板の左右上端には破断線を介して矩形の蓋貼着片が形成され、前記左右側面板の上端はそれぞれ前記破断線の一端に連続する傾斜破断線で左右蓋側面板に分設されるとともに、前記背面板の上端は前記傾斜破断線に連続する仰開用横折線で蓋背面板に分設され、また前記背面板には横折線を介して天面板、蓋正面板が順に連設されるとともに、該蓋正面板には鉤状破断線を介してジッパー、正面貼着板が順に連設されており、前記蓋正面板が前記蓋貼着片に貼着され、かつ前記正面貼着板が正面板に貼着されることで、ジッパーを切り離して蓋部分を仰開型に開閉する形式とするとともに、輸送時等における破断線からのカートンの破損を防止することを特徴とする洗剤用カートンを提供する。
【０００８】
また、請求項２の発明は、縦折線を介して内枠正面板、内枠背面板、および内枠左右側面板を連設し、ロ字状に形成される内枠を、胴部内壁に内挿したことで、前記仰開型蓋部の再閉鎖を安定させ、かつカートン胴部を補強することが可能となり、積み上げによる座屈等のカートンの破損を防ぐことができる。また内枠は必要な強度に応じて使用される材料を選定することができ、総合的に得られる強度面から、カートン本体に使用する板紙等材料の斤量を減縮することも可能となるので、経済性にも優れた洗剤カートンを提供する。
【０００９】
【発明の実施の形態】
上記の本発明について、図面等を用いて以下に詳述する。
図１は本発明にかかる洗剤用カートンの実施形態の展開平面図で（Ａ）は洗剤用カートン本体、（Ｂ）は内枠部材である。図２は同じく実施形態の組み立て完了状態を示す斜視図である。図３は実施形態の開蓋使用状態を示す斜視図である。図４（Ａ）（Ｂ）はいずれも従来技術の仰開型カートンを示す斜視図である。
【００１０】
図１（Ａ）は本発明にかかる洗剤用カートン本体の実施形態の展開平面図であって、板紙等シート状物を打ち抜いて形成されるカートン本体は、縦折線Ｌ１、Ｌ２、Ｌ３、Ｌ４を介して順に左側面板１、正面板２、右側面板３、背面板４、貼着板５が連設され、背面板４の上部延長上には横折線Ｌ５、Ｌ６を介して天面板６、蓋正面板７が連設され、さらに刻設された二条の鉤状破断線２３、２４を介して、ジッパー８、正面貼着板９が連設されている。正面板２の右上端は破断線２０を介して矩形の蓋貼着片１２、同じく左上端は破断線２１を介して矩形の蓋貼着片１３が形成されている。左側面板１の上端には前記破断線２０の一端に連続する傾斜破断線１８が刻設され、蓋左側面板１´が分設されるとともに、該蓋左側面板１´の上部延長上には横折線Ｌ９を介して耳片１４が連設されている。右側面板３の上端には前記破断線２１の一端に連続する傾斜破断線１９が刻設され、蓋右側面板３´が分設されるとともに、該蓋右側面板３´の上部延長上には横折線Ｌ１０を介して耳片１５が連設されている。背面板４の上端辺近傍には前記傾斜破断線１９の他端に連続する仰開用横折線Ｌ１３が設けられ、蓋背面板４´が分設されている。貼着板５は、上端に前記仰開用横折線Ｌ１３に連続し、かつ左側面板１に刻設された前記破断線１８に重合する切目線２２が刻設され、蓋貼着片５´が分設されている。なお、左側面板１、正面板２、右側面板３、背面板４のそれぞれの下部延長上には、それぞれ横折線Ｌ１１、Ｌ７、Ｌ１２、Ｌ８を介して、耳片１６、底面板１０、耳片１７、底面重合板１１が連設されている。
【００１１】
図１（Ｂ）は本発明にかかる洗剤用カートン内枠の実施形態の展開平面図であって、段ボールあるいは厚紙で形成される内枠は、内枠縦折線Ｌ３１、Ｌ３２、Ｌ３３を介して内枠背面板３１、内枠左側面板３２、内枠正面板３３、内枠右側面板３４が連設されている。
【００１２】
本発明の洗剤用カートンの組み立てにあたっては、予め縦折線Ｌ１およびＬ３を用いて左側面板１と貼着板５を貼着接合して平板に折り畳まれたカートンを、縦折線Ｌ１、Ｌ２、Ｌ３、Ｌ４を用いて立ち起こし、底面を構成する耳片１６および１７を折り曲げたのち、底面重合板１１、底面板１０を順に折り曲げて接着剤等で貼着接合して底部を構成する。次に、内枠縦折線Ｌ３１、Ｌ３２、Ｌ３３を用いて内枠背面板３１、内枠左側面板３２、内枠正面板３３、内枠右側面板３４をロ字状に立ち起こして内枠を形成し、カートン本体に挿入する。袋詰め等をされた製品を充填したのち、耳片１４および１５を折り曲げ、天面板６に貼着する。さらに蓋正面板７を折り曲げて、正面板２の左右上端の蓋貼着片１２および１３を貼着するとともに、正面貼着板９を正面板２に貼着して、図２に示すように組み立てを完了する。
【００１３】
本発明の洗剤用カートンの使用にあたっては、鉤状破断線２３および２４を用いてジッパー８を引き破り、正面板２の左右上端近傍の破断線２０および２１と、それに連続する左側面板１の上端近傍の傾斜破断線１８、ならびに右側面板３の上端近傍の破断線１９を切り離し、背面板４の上端辺近傍の仰開用横折線Ｌ１３を用いて、図３に示すごとく、蓋正面板７、蓋左側面板１´、蓋右側面板３´、天面板６、および蓋背面板４´で構成される蓋部を仰開する。充填されている製品の使用後は、前記蓋部を内枠に被せることにより、再閉鎖することができる。
【００１４】
【発明の効果】
以上のように本発明にかかる洗剤用カートンは、天面板６に連設された蓋正面板７が、正面板２の左右上端の蓋貼着片１２および１３に貼着されるとともに、該蓋正面板７にジッパー８を介して延設された正面貼着板９が、前記正面板２の胴部に貼着されるので、洗剤等重量物を充填しても、胴膨れによる破断線部分からの破損が発生しにくく、かつ段ボールあるいは厚紙で形成される内枠を挿入することで、胴体部分の強度上昇とともに、積み上げによる座屈に対する強度が上昇し、カートン本体の変形あるいは破損を防ぐことができる。また内枠は別体で形成されるため、必要な強度に応じて使用される材料を選定することができ、総合的に得られる強度面から、カートン本体に使用する板紙等材料の斤量を減縮することも可能であるから、経済性にも優れている。
【００１５】
本発明の洗剤用カートンは、鉤状破断線２３および２４を用いてジッパー８を引き破り、正面板２の左右上端近傍の破断線２０および２１と、それに連続する左側面板１の上端近傍の傾斜破断線１８、ならびに右側面板３の上端近傍の破断線１９を切り離し、背面板４の上端辺近傍の仰開用横折線Ｌ１３を用いて、蓋正面板７、蓋左側面板１´、蓋右側面板３´、天面板６、および蓋背面板４´で構成される蓋部を仰開する構造すなわちフリップトップスタイルのカートンとして機能するが、前記内枠は、カートン本体内壁にほぼ密着して挿入されているため、蓋部分の再閉鎖が安定しており、一定の期間を経て使用される製品の湿度による変質例えば洗剤等粉粒体が凝固するケーキングとよばれる状態等の発生を抑止することができる。しかも別体で挿入されているため、使用後の廃棄に際しては、分別および平板として廃棄することも容易である。
【図面の簡単な説明】
【図１】本発明にかかる洗剤用カートンの実施形態の展開平面図で、（Ａ）は洗剤用カートン本体、（Ｂ）は内枠部材である。
【図２】実施形態の組み立て完了状態を示す斜視図である。
【図３】実施形態の開蓋使用状態を示す斜視図である。
【図４】従来技術の仰開型カートンを示す斜視図である。
【符号の説明】
１　　　　　　　　　　　　　左側面板
１´　　　　　　　　　　　　蓋左側面板
２　　　　　　　　　　　　　正面板
３　　　　　　　　　　　　　右側面板
３´　　　　　　　　　　　　蓋右側面板
４　　　　　　　　　　　　　背面板
５　　　　　　　　　　　　　貼着板
６　　　　　　　　　　　　　天面板
７　　　　　　　　　　　　　蓋正面板
８　　　　　　　　　　　　　ジッパー
９　　　　　　　　　　　　　正面貼着板
１０　　　　　　　　　　　　底面板
１１　　　　　　　　　　　　底面重合板
１２、１３　　　　　　　　　蓋貼着片
１４、１５，１６，１７　　　耳片
１８、１９　　　　　　　　　傾斜破断線
２０、２１　　　　　　　　　破断線
２２　　　　　　　　　　　　切目線
２３、２４　　　　　　　　　鉤状破断線
Ｌ１〜Ｌ４　　　　　　　　　縦折線
Ｌ５〜Ｌ１２　　　　　　　　横折線
Ｌ１３　　　　　　　　　　　仰開用横折線
３１　　　　　　　　　　　　内枠背面板
３２　　　　　　　　　　　　内枠左側面板
３３　　　　　　　　　　　　内枠正面板
３４　　　　　　　　　　　　内枠右側面板
Ｌ３１〜Ｌ３３　　　　　　　内枠縦折線
【図１】
2004083023.tif 000003
【図２】
2004083023.tif 000004
【図３】
2004083023.tif 000005
【図４】
2004083023.tif 000006